(57)【要約】【課題】LEDを光源に用いた信号機などは、レンズに着雪が生じる問題が生じた。【解決手段】  アルミ基板にLEDと放熱フィンを構成したレンズにて、着雪を防ぐ。【選択図】図3
2015179344.tif 000002
【特許請求の範囲】
【請求項１】
熱伝導性の良い基板にLEDと放熱フィンがレンズ材料により封印、一体化されたレンズユニットを信号灯器用レンズとすることを特徴とする、着雪防止を備えた信号機構造。
【請求項２】
前記請求項1におけるレンズユニットに配置された、放熱フィンの先端が外気と接していることを特徴とする着雪防止を備えた信号機構造。
【発明の詳細な説明】
【技術分野】
【０００１】
本発明は、LEDを使用した、歩道信号機及び交通信号機などにおいてのレンズの役割をする、灯光部透明保護カバー(以降レンズと呼ぶ)及び表示部の着雪を防止するための構造である。
【背景技術】
【０００２】
従来の歩道信号機及び交通信号機などの信号機においては、白熱電球やハロゲンランプ等の、高熱を発生する光源を用いていたが、電力消費量の大きさからコスト削減のため電力消費量の少ないLEDを使用しているが、LEDは白熱電球やハロゲンランプ等に比べて、発熱量が低いため、歩道信号機の表示部及び交通信号機のレンズに着雪が生じる問題が生じた。
【発明の概要】
【発明が解決しようとする課題】
【０００３】
本発明は、LEDを用いた信号機のレンズにおける着雪を防止する構造である。
【課題を解決するための手段】
【０００４】
LEDと円柱状放熱フィンを設置したアルミ製LED用基板とエポキシ等からなる、レンズとLED、基板、放熱フィンが一体となったレンズユニットの前記LEDから発生する熱を前記円柱状放熱フィンに伝導させ、外気と接している前記フィン先端から信号機灯器外部に放熱させることにより前記フィン及びフィン周囲の温度を上昇させることによりレンズユニット（レンズ）の雪着を防ぐ。
【発明の効果】
【０００５】
フィンに伝導された、熱によりレンズの着雪を防ぐことができる。
【図面の簡単な説明】
【０００６】
【図１】従来の信号機図(1a) 従来の信号機灯器部正面図図(2a) 従来の信号機灯器部右側面図
【図２】図(1b) 従来の信号機灯器部正面図図(2b) 従来の信号機灯器部右側面断面図図(3b) 従来の信号機灯器部正面図のレンズを外した図
【図３】図(1c) 本発明のLEDユニット正面図図(2c) 本発明のLEDユニット右側面
【図４】図(1c) 本発明のレンズユニット正面図図(2c) 本発明のレンズユニット右側面
【図５】図(1c) 本発明の信号灯器正面図図(2c) 本発明の信号灯器右側面
【発明を実施するための形態】
【０００７】
以下、本発明の実施の形態を、図を使用して説明する。
図1における図(1a)は,従来のLEDを光源とする、交通信号機の赤.青、黄3つの灯器の、内の１つの正面図であり図(2a)は、その側面である。
図2における図(1b)は、従来のLEDを光源とする信号機灯器の一例で、フードを省いた灯器の正面図であり、レンズはLEDの熱を放熱する筐体のヒートシンク部に嵌め込まれている。図(2b)は、前図(1b)の右側面断面図（筐体内部の電気部品の図は省く）であり、前記レンズと前記レンズを嵌め込む前記LEDからの熱を放熱するヒートシンクの役割をなす灯器の筐体の一部を構成する、ヒートシンク部で構成されている。
【０００８】
図3における図(1c)は、本発明による、信号灯器の一例で、信号機灯器の発光源となる8個のLED(1)と前記LED(1)からの熱を伝導放熱させるアルミ基板(3)と前記基板(3)からの熱を伝導放熱させる熱伝導性の良い材料であるアルミ等から制作される4個の円柱状のフィン(2)からなる、LEDユニット(A)の正面図である、図(2C)は前図(1C)の右側面図である。
図4は前図のLEDユニット(A)４個を、信号のレンズ形状型に前記LEDユニットを配置し、これにエポキシ等のレンズ材料を流し込み、封印して制作した、１つのレンズユニット(B)である。
図(1d)は正面図、図(2d)は、右側面図である、図(2d)にて示されているように、前記円柱状放熱フィン(2)は、レンズ面より突き出ている
【０００９】
図5は、前記レンズユニット(B)を、取り付けた、本発明による1つの信号灯器を表している、図(1e)は、その正面図である、図(2e)は,右側面図であり、LED(1)から生じる熱は、アルミ基板(3)を経由して、円柱状放熱フィン(2)に伝導され、矢印で示したように、外気と接している前記円柱状放熱フィン(2)先端から外気に、放熱されこの熱により、レンズに付着した雪を溶かすことができる。
円柱状放熱フィン(2)の数は、設置されるLED（1）の、放熱量により決定される。
【産業上の利用可能性】
【００１０】
本発明は、信号機の着雪防止として利用できる
【符号の説明】
【００１１】
1.    LED
2.    円柱状放熱フィン
3.    アルミ基板
A  LEDユニット
B  レンズユニット
【図１】
2015179344.tif 000003
【図２】
2015179344.tif 000004
【図３】
2015179344.tif 000005
【図４】
2015179344.tif 000006
【図５】
2015179344.tif 000007
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
ヒートシンクに設置されたLEDと前記LEDからの熱を放熱する放熱フィンをレンズ材料にて封印、一体化したレンズユニットを信号灯器用レンズとすることを特徴とする、着雪防止を備えた信号機構造。
【請求項２】
前記請求項1における配置された、放熱フィンが複数の柱状形であることを特徴とする着雪防止を備えた信号機構造
【請求項３】
前記請求項1におけるレンズユニットに配置された、放熱フィンの先端が外気と接していることを特徴とする着雪防止を備えた信号機構造。
【請求項４】
前記請求項1におけるレンズユニットに配置された、ヒートシンクがアルミ基板であることを特徴とする着雪防止を備えた信号機構造。
【手続補正２】
【補正対象書類名】明細書
【補正対象項目名】０００８
【補正方法】変更
【補正の内容】
【０００８】
図3における図(1c)は、本発明による、信号灯器の一例で、信号機灯器の発光源となる8個のLED(1)と前記LED(1)からの熱を伝導、放熱させるヒートシンクの働きを行うアルミ基板(3)と前記基板(3)からの熱を伝導放熱させる熱伝導性の良い材料であるアルミ等から制作される4個の円柱状のフィン(2)からなる、LEDユニット(A)の正面図である、図(2C)は前図(1C)の右側面図である。
図4は前図のLEDユニット(A)４個を、信号のレンズ形状型に前記LEDユニットを配置し、これにエポキシ等のレンズ材料を流し込み、前記LEDユニット(A)を封印して制作した、１つのレンズユニット(B)である。
図(1d)は正面図、図(2d)は、右側面図である、図(2d)にて示されているように、前記円柱状放熱フィン(2)は、レンズ面より突き出ている
【手続補正３】
【補正対象書類名】明細書
【補正対象項目名】０００９
【補正方法】変更
【補正の内容】
【０００９】
図5は、前記レンズユニット(B)を、取り付けた、本発明による1つの信号灯器を表している、図(1e)は、その正面図である、図(2e)は,右側面図であり、LED(1)から生じる熱は、ヒートシンクであるアルミ基板(3)を経由して、円柱状放熱フィン(2)に伝導され、矢印で示したように、外気と接している前記円柱状放熱フィン(2)先端から外気に、放熱されこの熱により、レンズに付着した雪を溶かすことができる。
円柱状放熱フィン(2)の数は、設置されるLED（1）の、放熱量により決定される。